(57)【要約】【課題】動力伝達チェーン３や動力伝達装置において、動作音が動力伝達チェーン３の外周側へ伝播されにくくし、静粛性を高める。【解決手段】プーリ１，２に巻き掛けられて用いられかつ複数のリンク１０それぞれをピン１１で無端状に連結してなる動力伝達チェーン３であって、外周部分が遮音部材２０で覆われている。【選択図】  図２
2005140224.tif 000002
【特許請求の範囲】
【請求項１】
複数のリンクそれぞれをピンで無端状に連結してなる動力伝達チェーンであって、外周部分が遮音部材で覆われている、ことを特徴とする動力伝達チェーン。
【請求項２】
前記遮音部材は、長手方向に複数個並べて配置されるもので、前記ピンまたはリンクに支持されている、ことを特徴とする請求項１に記載の動力伝達チェーン。
【請求項３】
前記遮音部材は、外周部分に覆い被される無端状の平ベルトからなる、ことを特徴とする請求項１に記載の動力伝達チェーン。
【請求項４】
それぞれＶ字形の周溝を有する二つのプーリと、両プーリに巻き掛けられる無端状の動力伝達チェーンとを備えた動力伝達装置であって、
前記動力伝達チェーンとして、前記請求項１から３のいずれか１項に記載の動力伝達チェーンを用いた、ことを特徴とする動力伝達装置。
【発明の詳細な説明】
【技術分野】
【０００１】
本発明は、複数のリンクそれぞれをピンで無端状に連結してなる動力伝達チェーン（以下、チェーンという）、およびそれを用いた動力伝達装置に関する。
【背景技術】
【０００２】
例えば自動車などの車両に用いられる無段変速機（ＣＶＴ：Continuously Variable Transmission）では、例えばエンジン側に設けられたドライブプーリと、駆動輪側に設けられたドリブンプーリと、両者間に架け渡された無端状のチェーンとを備えたものがある。チェーンは、複数のリンクそれぞれをピンおよびストリップで相互に連結している（例えば特許文献１参照）。
【特許文献１】特開平８−３１２７２５号
【発明の開示】
【発明が解決しようとする課題】
【０００３】
上記従来例では、チェーンの回転動作に伴い発生する騒音が効果的に抑制されるが、ＣＶＴが搭載された自動車の運転をより快適にするためには、さらに静粛性を向上するのが望ましい。従来、チェーン変速機の騒音低減のためには、変速機全体を遮音壁（カバー）で覆うようにしたり、チェーン全体を遮音壁で覆うようにする等の対策がとられているが、このような遮音壁は大きくなるため、寸法制約より小型車への搭載は困難である。また、運転席の気密性を高めたり、振動遮断用の特別なマウントを用いたり、前述した遮音壁を用いたりする等の手段はコストが高くなるため、安価提供が求められる小型車ではコスト制約より困難である。そこで、寸法が小さくコストの低い、より効果的な騒音低減手段が求められている。
【課題を解決するための手段】
【０００４】
本発明は、複数のリンクそれぞれをピンで無端状に連結してなるチェーンであって、外周部分が遮音部材で覆われている、ことを特徴としている。
【０００５】
なお、前記チェーンの外周部分とは、無端状のチェーンの外側に露呈する部分のことである。
【０００６】
この場合、チェーンの外周部分を遮音部材で覆っているから、チェーンの回転動作に伴い発生する動作音が、チェーンの外周側へ伝播されにくくなり、騒音の発生が抑制される。
【０００７】
前記遮音部材は、長手方向に複数個並べて配置されるもので、前記ピンまたはリンクに支持されたものとすることができる。
【０００８】
前記遮音部材は、外周部分に覆い被される無端状の平ベルトからなるものとすることができる。
【０００９】
本発明は、それぞれＶ字形の周溝を有する二つのプーリと、両プーリに巻き掛けられるチェーンとを備えた動力伝達装置であって、前記チェーンとして、上記チェーンを用いた、ことを特徴としている。この場合、チェーンが回転動作するときに発生する動作音がチェーンの外周側へ伝播されにくくなり、騒音の発生が抑制される。
【発明の効果】
【００１０】
本発明は、動作時の静粛性を高めることができる。
【発明を実施するための最良の形態】
【００１１】
図１は、動力伝達装置としての無段変速機を模式的に示す斜視図、図２は、図１のチェーンの一部を示す斜視図、図３は、図２のチェーンの平面図、図４は、図３の（４）−（４）線断面の矢視図、図５は、図２のチェーンの一部を示す側面図である。
【００１２】
図示例の無段変速機は、ドライブプーリ１とドリブンプーリ２とに無端状のチェーン３を巻き掛けた構成である。
【００１３】
ドライブプーリ１は、エンジン側に接続された入力軸４に、また、ドリブンプーリ２は、駆動輪側に接続された出力軸５にそれぞれ取り付けられている。
【００１４】
両プーリ１，２は、共に、固定シーブ１ａ，２ａと可動シーブ１ｂ，２ｂとからなる。ドライブプーリ１の固定シーブ１ａは入力軸４に、また、ドリブンプーリ２の固定シーブ２ａは出力軸５にそれぞれ固定されているが、ドライブプーリ１の可動プーリ１ｂは入力軸４に、また、ドリブンプーリ２の可動プーリ２ｂは出力軸５にそれぞれ一体回転可能でかつ軸方向移動可能に取り付けられている。
【００１５】
固定シーブ１ａ，２ａおよび可動シーブ１ｂ，２ｂは、それぞれ円錐面を備えており、固定シーブ１ａ，２ａの円錐面と可動シーブ１ｂ，２ｂの円錐面との対向間にＶ字形の周溝が形成されている。可動シーブ１ｂ，２ｂが例えば油圧アクチュエータ（図示省略）などの駆動手段で軸方向に無段階に移動されることによって、両プーリ１，２の周溝における溝幅が無段階に変更されて、無段階の変速が行われる。
【００１６】
チェーン３は、１つの組をチェーン長手方向に順次に所定距離ずつずらした３つのリンク１０Ａ，１０Ｂ，１０Ｃの組み合わせからなり、各組には同じずらし位置にあるリンク（符号では１０Ａ同士，１０Ｂ同士，１０Ｃ同士）を１つずつ有する第１、第２、第３のリンク組を備える。それぞれのリンク組内の各リンク１０Ａ，１０Ｂ，１０Ｃには、第１、第２の貫通孔１０ａ，１０ｂが設けられている。第１の貫通孔１０ａは、チェーン進行方向とは反対側となる各リンク１０Ａ，１０Ｂ，１０Ｃそれぞれの一端側に、第２の貫通孔１０ｂは、チェーン進行方向側となる各リンク１０Ａ，１０Ｂ，１０Ｃそれぞれの他端側に形成されている。これら各組内のリンク１０Ａ，１０Ｂ，１０Ｃは、両貫通孔１０ａ，１０ｂそれぞれに挿入ないし圧入したピン１１とストリップ１２とで互いに連結される。これら貫通孔１０ａ，１０ｂは、１つの孔で結合することも可能である。
【００１７】
各ピン１１は、リンク１０Ａ，１０Ｂ，１０Ｃの第１の貫通孔１０ａの壁面に部分的に囲まれるように接してそれぞれのリンク１０Ａ，１０Ｂ，１０Ｃに結合され、各ストリップ１２は、第２の貫通孔１０ｂの周面に部分的に囲まれるように接してそれぞれのリンク１０Ａ，１０Ｂ，１０Ｃに結合されている。各ピン１１とストリップ１２は、圧入によってリンク１０Ａ，１０Ｂ，１０Ｃに連結されている。ストリップ１２は、ピン１１よりも僅かに短くされており、これにより、ピン１１の外端面のみがプーリ１，２に摩擦接触可能になっている。ピン１１の外端面は凸面形状を有し、チェーンの引っ張り力を摩擦力によりプーリ１，２に伝達できるようになっている。
【００１８】
第１、第２の貫通孔１０ａ、１０ｂの形状は図５に示すようになっている。すなわち、第１の貫通孔１０ａの壁面の一部分１０ａ１は、ピン１１が圧入されるものであり、ピン１１の輪郭に極く近似するか、あるいは、ほんの僅か小さい。第１の貫通孔１０ａの壁面の残りの部分１０ａ２は、ピン１１と接して協動するストリップ１２がピン１１に対して自由に動くことができるようになっている。これによって第１の貫通孔１０ａ内においてストリップ１２はピン１１上で転がり運動ができる。
【００１９】
第２の貫通孔１０ｂの壁面の一部分１０ｂ１は、ストリップ１２が圧入されるものであり、ストリップ１２の輪郭に極く近似するか、あるいは、ほんの僅か小さい。第２の貫通孔１０ｂの壁面の残りの部分１０ｂ２は、ストリップ１２と接して協動するピン１１がストリップ１２に対して自由に動くことができるようになっている。
【００２０】
ここで、図５の紙面上、１つのリンク組において、手前側を第１のリンク１０Ａ、中間側を第２のリンク１０Ｂ、奥側を第３のリンク１０Ｃとする。第１のリンク１０Ａの第１の貫通孔１０ａは、第２のリンク１０Ｂの第２の貫通孔１０ｂ（破線表示）とは同一直線上に位置している。第２のリンク１０Ｂの第１の貫通孔１０ａは、第３のリンク１０Ｃの第２の貫通孔１０ｂ（破線表示）とは同一直線上に位置している。そして、各リンク１０Ａ、１０Ｂ，１０Ｃは、各貫通孔１０ａ，１０ｂに通されたピン１１とストリップ１２によってチェーンの長手方向に互いに接続されている。
【００２１】
上記構成を備えたチェーン３は、プーリ方向（図５の右側方向とする）に進むに伴い、ピン１１とストリップ１２との接線の位置が変化する。そして、チェーン３内の引張力Ｋは、この接線の位置で１つのリンクから他のリンクへと伝達され、偶力Ｆ＝Ｋ・Ｘが進入してくる第１のリンク１０Ａ上で発生する。ここで、Ｘは、偶力Ｆ間の距離である。このチェーンへの進入の際、第１のリンク１０Ａに結合された第１の貫通孔１０ａ内のピン１１は、まだプーリ１，２に接触しておらず、そのため、第１のリンク１０Ａは、当該第１のリンク１０Ａに結合された第２の貫通孔１０ｂ内のストリップ１２と、このときプーリ１，２に接触している不図示の上流側のリンクのピン１１との接線回りに自由に回転できる。進入に差し掛かっている第１のリンク１０Ａ上で作用している偶力Ｆは、当該第１のリンク１０Ａを少しだけ回転させることによって、第２のリンク１０Ｂの第２の貫通孔１０ｂ内のピン１１は上昇動させられる。
【００２２】
第２のリンク１０Ｂの第２の貫通孔１０ｂ内のピン１１が十分に上昇動させられることにより、特開平８−３１２７２５号公開公報の明細書に記載されるようにチェーンの弦振動的運動が抑制されるようになる。この抑制作用のさらなる詳細は同公報に詳しく記載しているので説明を省略する。
【００２３】
このようにして各貫通孔１０ａ，１０ｂにピン１１とストリップ１２とを圧入や挿入により各リンク１０を相互に連結しているとともに、ピン１１およびストリップ１２の両端が上述したように各リンク１０の貫通孔１０ａ，１０ｂから突出する状態となっており、かつ、ピン１１は、ストリップ１２よりも長く形成されて、その外端がドライブプーリ１およびドリブンプーリ２の各円錐面に当接されている。また、チェーン３の進行方向前側にストリップ１２が、後側にピン１１が配置されている。
【００２４】
このような構成の無段変速機では、各プーリ１，２の回転動作に伴い、チェーン３のリンク１０とピン１１間の打音や摺動音が発生する。さらに、ドライブプーリ１やドリブンプーリ２にチェーン３が巻きつくときにはピン１１と各プーリ１，２の円錐面との接触に起因する音が発生する。これらのことを考慮し、以下のような工夫を施しているので説明する。
【００２５】
チェーン３の外周部分を遮音部材２０で覆うようにしている。遮音部材２０は、チェーン３の長手方向に隣り合うように複数個並べて配置されており、複数個の遮音部材２０それぞれが相互に干渉しない状態でかつチェーン３の各リンク１０にも干渉しない状態になっている。
【００２６】
具体的に、遮音部材２０は、長方形の胴部２１の長手方向両端に二つの屈曲部２２を設けることでコ字形に形成されており、両屈曲部２２には二つの貫通孔２３が設けられている。
【００２７】
この遮音部材２０は、チェーン３の幅方向に跨る状態でかつ前記各リンク１０の外側に露呈する部分に非接触となる状態でピン１１およびストリップ１２に支持されている。つまり、遮音部材２０の胴部２１がチェーン３の外側に浮いた状態で配置され、一方の屈曲部２２の各貫通孔２３にピン１１およびストリップ１２の各一端が、また、他方の屈曲部２２の各貫通孔２３にピン１１およびストリップ１２の各他端がそれぞれ挿入されている。なお、遮音部材２０は、例えばフッ素樹脂やシリコン系樹脂などの樹脂材の他、適宜の金属材で形成することができる。
【００２８】
従来のチェーンではチェーン３の動作に伴い発生する動作音が外側に開放されていたが、上述したように、チェーン３の外周部分を複数個の遮音部材２０で覆っていれば、各遮音部材２０によってチェーン３の動作に伴い発生する動作音が、チェーン３の外周側へ伝播されにくくなり、騒音の発生を抑制できる。そのため、無段変速機の静粛性が向上する。
【００２９】
図６に示すように、遮音部材２０を無端状の平ベルトとし、チェーン３の外周部分に覆い被せるように取り付けてもよい。この場合、遮音部材２０はチェーン３の各リンク１０の外側に露呈する部分に接着してもよいし、チェーン３の外周部分に非接着状態で覆い被せるだけでもかまわない。この遮音部材２０は、可撓性を有する材料が好ましく、例えばフッ素樹脂やシリコン系樹脂などの樹脂材の他、適宜の金属材で形成することができる。
【００３０】
上記無段変速機は、ドライブプーリ１およびドリブンプーリ２のいずれか一方の周溝における溝幅のみを変更できるようにして、他方を変更できないように固定幅にした態様であってもよい。なお、本発明は、前記周溝における溝幅を有段的に変更する変速機や、固定式（無変速）とした動力伝達装置にも適用できる。
【００３１】
また、上記ではチェーン３としてピン１１の両端をドライブプーリ１やドリブンプーリ２の各円錐面に当接させるピンタイプを例に挙げているが、例えば特開平１−１７６８３２号公報に示すように、ピン１１に取り付けられるブロックをドライブプーリ１やドリブンプーリ２の各円錐面に当接させるブロックタイプのチェーンに本発明を適用できる。
【図面の簡単な説明】
【００３２】
【図１】本発明の一実施形態に係る無段変速機を模式的に示す斜視図
【図２】図１のチェーンの一部を示す斜視図
【図３】図２のチェーンの平面図
【図４】図３の（４）−（４）線断面の矢視図
【図５】図２のチェーンの一部を示す側面図
【図６】本発明の他の実施形態で、図４に対応する図
【符号の説明】
【００３３】
１      ドライブプーリ
２      ドリブンプーリ
３      チェーン
４      入力軸
５      出力軸
１０      リンク
１１      ピン
１２      ストリップ
２０      遮音部材
【図１】
2005140224.tif 000003
【図２】
2005140224.tif 000004
【図３】
2005140224.tif 000005
【図４】
2005140224.tif 000006
【図５】
2005140224.tif 000007
【図６】
2005140224.tif 000008